(57)【要約】【課題】適切な取付角度で操作レバーを取り付けることのできる両軸受リールを提供する。【解決手段】釣用リールは、リール本体と、スプールと、制動機構と、調整部材６と、操作レバー７と、第１プレート８と、第２プレート９と、を備えている。第１プレート８は、環状である。第１プレート８は、調整部材６に一体回転可能に取り付けられる。第２プレート９は、環状である。第２プレート９は、軸方向において第１プレート８と対向するように配置されている。第２プレート９は、操作レバー７に一体回転可能に取り付けられている。第１プレート８は、第２プレート９と対向する面において、複数の係合凹部を有している。第２プレート９は、第１プレート８と対向する面において、各係合凹部と係合する少なくとも１つの係合凸部を有している。【選択図】図３
2018201413.tif 000002
【特許請求の範囲】
【請求項１】
リール本体と、
前記リール本体に支持され、周囲に釣り糸が巻回されるスプールと、
前記スプールの回転を制動する制動機構と
前記リール本体に回転可能に取り付けられ、回転して前記リール本体との相対距離を変更することによって前記制動機構による制動力を調整する筒状の調整部材と、
前記調整部材が貫通する第１貫通孔を有し、半径方向に延びる操作レバーと、
前記調整部材が貫通する第２貫通孔を有し、前記調整部材及び前記操作レバーの一方に一体回転可能に取り付けられる環状の第１プレートと、
前記調整部材が貫通する第３貫通孔を有し、軸方向において前記第１プレートと対向するように配置され、前記調整部材及び前記操作レバーの他方に一体回転可能に取り付けられる環状の第２プレートと、
を備え、
前記第１プレートは、前記第２プレートと対向する面において、複数の係合凹部を有しており、
前記第２プレートは、前記第１プレートと対向する面において、前記各係合凹部と係合する３つ以上の係合凸部を有する、
釣用リール。
【請求項２】
前記第１プレートと前記第２プレートとが互いに離反する方向に移動することを規制する規制部材をさらに備える、
請求項１に記載の釣用リール。
【請求項３】
前記規制部材は、前記調整部材に螺合することによって、前記第１プレートと前記第２プレートとの離反を規制する、
請求項２に記載の釣用リール。
【請求項４】
前記規制部材と前記操作レバーとの間に配置されたスペーサをさらに備える、
請求項２又は３に記載の釣用リール。
【請求項５】
前記各係合凹部及び前記各係合凸部は、半球体状である、
請求項１から４のいずれかに記載の釣用リール。
【請求項６】
前記調整部材は、筒状部と、前記筒状部から半径方向に延びるフランジ部と、を有する、
請求項１から５のいずれかに記載の釣用リール。
【請求項７】
前記調整部材は、前記フランジ部の外周端部から軸方向に延びる外壁部をさらに有し、
前記第１プレート及び前記第２プレートの少なくともいずれかは、前記筒状部と前記フランジ部と前記外壁部とによって画定される空間内に配置される、
請求項６に記載の釣用リール。
【請求項８】
前記第１プレート及び前記２プレートの一方は、前記調整部材及び前記操作レバーの一方と一体的に形成される、
請求項１から７のいずれかに記載の釣用リール。
【請求項９】
前記第１プレート及び前記第２プレートの他方は、前記調整部材及び前記操作レバーの他方と一体的に形成される、
請求項８に記載の釣用リール。
【請求項１０】
前記釣用リールは両軸受リールであり、
スプールと一体的に回転するように構成されたスプール軸をさらに備え、
前記リール本体は、軸方向において間隔をあけて互いに配置される第１リール本体部及び第２リール本体部を有し、
前記スプール軸は、前記第１リール本体部に一端が支持され、前記第２リール本体部に他端が支持されており、
前記制動機構は、前記スプール軸の一端を押圧することによって前記スプールの回転を制動する、
請求項１から９のいずれかに記載の釣用リール。
【発明の詳細な説明】
【技術分野】
【０００１】
本発明は、釣用リールに関するものである。
【背景技術】
【０００２】
釣用リールのうち、両軸受リールなどは、一般的に、キャスティングコントロール機構を備えている。キャスティングコントロール機構は、スプール軸に摩擦力を掛けることによって、スプール軸の回転を制動する機構である。これによって、糸繰り出し時のスプール軸の回転速度を抑え、バックラッシュを防止する。
【０００３】
特許文献１に記載の両軸受リールは、キャスティングコントロール機構の操作を容易にするため、操作レバーがリール本体に揺動可能に取り付けられている。この操作レバーを周方向に揺動させることによって、スプール軸に対する制動力を調整することができる。
【０００４】
また、特許文献２の図１５には、リール本体に取り付けられた調整部材によってスプール軸に対する制動力を調整し、この調整部材に操作レバーを取り外し可能に取り付ける構成が開示されている。この構成では、調整部材に取り付けられた操作レバーが調整部材に対して相対回転することを防止するように構成されている。詳細には、調整部材のフランジ部の外周面に複数の凹部を形成するとともに、操作レバーの外周面から軸方向に延びるピンを形成している。このピンが凹部と係合することによって、操作レバーは、調整部材に対して相対回転不能となっている。
【先行技術文献】
【特許文献】
【０００５】
【特許文献１】特開平９−２７５８６１号公報
【特許文献２】特開２０１６−２２０５４７号公報
【発明の概要】
【発明が解決しようとする課題】
【０００６】
上記構成によれば、操作レバーを揺動させることによって、軸方向に延びるピンに荷重が掛かる。この荷重によってピンが折れるおそれがあるため、ピンの径を大きくして強度を向上させる必要がある。これに伴い、凹部の径も大きくする必要があるため、周方向の凹部のピッチを細かくすることができない。この結果、適切な取付角度で操作レバーを取り付けることができないおそれがある。
【０００７】
本発明の課題は、適切な取付角度で操作レバーを取り付けることのできる釣用リールを提供することにある。
【課題を解決するための手段】
【０００８】
本発明のある側面に係る釣用リールは、リール本体と、スプールと、制動機構と、調整部材と、操作レバーと、第１プレートと、第２プレートと、を備えている。スプールは、リール本体に支持され、周囲に釣り糸が巻回される。制動機構は、スプールの回転を制動する。調整部材は、筒状である。調整部材は、リール本体に回転可能に取り付けられている。調整部材は、回転してリール本体との相対距離を変更することによって、制動機構による制動力を調整する。操作レバーは、調整部材が貫通する第１貫通孔を有する。操作レバーは、半径方向に延びる。第１プレートは、環状である。第１プレートは、調整部材が貫通する第２貫通孔を有している。第１プレートは、調整部材及び操作レバーの一方に一体回転可能に取り付けられる。第２プレートは、環状である。第２プレートは、調整部材が貫通する第３貫通孔を有している。第２プレートは、軸方向において第１プレートと対向するように配置されている。第２プレートは、調整部材及び操作レバーの他方に一体回転可能に取り付けられている。第１プレートは、第２プレートと対向する面において、複数の係合凹部を有している。第２プレートは、第１プレートと対向する面において、各係合凹部と係合する３つ以上の係合凸部を有している。
【０００９】
この構成によれば、第１プレートと第２プレートとが互いに係合することによって、操作レバーが調整部材に対して相対回転することを防止している。そして、第１プレートに形成された係合凹部は、第１プレートの主面に形成されている。また、第２プレートに形成された係合凸部は、第２プレートの主面に形成されている。このため、従来の構成に比べて、個々の係合凸部に作用する応力を低下させることができる。この結果、従来構成に比べて、係合凸部の太さを大きくする必要がなく、ひいては係合凹部のピッチを細かくすることができる。したがって、適切な取付角度で操作レバーを取り付けることができる。
【００１０】
好ましくは、釣用リールは、規制部材をさらに備える。規制部材は、第１プレートと第２プレートとが互いに離反する方向に移動することを規制する。この構成によれば、第１プレートと第２プレートとを強固に係合させることができる。
【００１１】
好ましくは、規制部材は、調整部材に螺合することによって、第１プレートと第２プレートとの離反を規制する。
【００１２】
好ましくは、釣用リールは、規制部材と操作レバーとの間に配置されたスペーサをさらに備える。
【００１３】
好ましくは、各係合凹部及び各係合凸部は、半球体状である。
【００１４】
好ましくは、調整部材は、筒状部と、筒状部から半径方向に延びるフランジ部と、を有する。
【００１５】
好ましくは、調整部材は、フランジ部の外周端部から軸方向に延びる外壁部をさらに有する。第１プレート及び第２プレートの少なくともいずれかは、筒状部とフランジ部と外壁部とによって画定される空間内に配置される。
【００１６】
好ましくは、第１プレートは、調整部材及び操作レバーの一方と一体的に形成される。
【００１７】
好ましくは、第２プレートは、調整部材及び操作レバーの他方と一体的に形成される。
【００１８】
好ましくは、釣用リールは両軸受リールである。釣用リールは、スプール軸をさらに備える。スプール軸は、スプールと一体的に回転するように構成されている。リール本体は、軸方向において間隔をあけて互いに配置される第１リール本体部及び第２リール本体部を有する。スプール軸は、第１リール本体部に一端が支持され、第２リール本体部に他端が支持されている。制動機構は、スプール軸の一端を押圧することによってスプールの回転を制動する。
【００１９】
なお、釣用リールは、リアドラグ型スピニングリールであってもよい。この場合、釣用リールは、スプール軸と、摩擦円板と、をさらに備えている。スプール軸は、リール本体部から前方に延びている。摩擦円板は、スプール軸の後端部に相対回転不能に係合する。スプールは、スプール軸の前端部に相対回転不能に支持されて前方に配置されている。制動機構は、摩擦円板を押圧してスプールの回転を制動する。
【発明の効果】
【００２０】
本発明によれば、係合凹部のピッチを小さくすることができる。
【図面の簡単な説明】
【００２１】
【図１】両軸受リールの背面図。
【図２】両軸受リールの断面図。
【図３】両軸受リールの拡大断面図。
【図４】調整部材の斜視図。
【図５】第１プレートの斜視図。
【図６】第２プレートの斜視図。
【図７】操作レバーの斜視図。
【図８】調整ユニットの分解斜視図。
【発明を実施するための形態】
【００２２】
以下、本発明に係る両軸受リールの実施形態について図面を参照しつつ説明する。なお、以下の説明において、軸方向とは、スプール軸の延びる方向を示す。また、半径方向とはスプール軸を中心とした円の半径方向を示し、周方向とはスプール軸を中心とした円の周方向を示す。
【００２３】
［両軸受リール］
図１及び図２に示すように、両軸受リール１００は、リール本体２、スプール３、スプール軸４、制動機構５、調整部材６、操作レバー７、第１プレート８、第２プレート９、規制部材１０、及びハンドル１５を備えている
【００２４】
［リール本体］
リール本体２は、第１リール本体部２１と第２リール本体部２２とを備えている。第１リール本体部２１と第２リール本体部２２とは、軸方向に互いに間隔をあけて配置されている。第１リール本体部２１と第２リール本体部２２とは、複数の連結部２３を介して互いに連結されている。
【００２５】
図２に示すように、第１リール本体部２１は、第１側板２１ａ及び第１カバー２１ｂを有している。第１リール本体部２１は、内部に収容空間を有している。この収容空間内に、回転伝達機構１１などが収容されている。第２リール本体部２２は、第２側板２２ａ及び第２カバー２２ｂを有している。第１側板２１ａと第２側板２２ａとは、連結部２３を介して、互いに連結されている。この第１側板２１ａと第２側板２２ａと連結部２３とは、一体的に形成されており、リール本体２のフレームを構成している。
【００２６】
第１リール本体部２１は、第１ボス部２４及び第２ボス部２５をさらに有する。第１ボス部２４と第２ボス部２５とは、互いに間隔をあけて配置されている。第１ボス部２４及び第２ボス部２５は、円筒状であって、軸方向外側に突出している。詳細には、第１ボス部２４及び第２ボス部２５は、第１カバー２１ｂから軸方向外側に突出している。
【００２７】
第１ボス部２４の外周面にはネジ部２４１が形成されている（図３参照）。調整部材６が、この第１ボス部２４に取り付けられる。詳細には、調整部材６が、第１ボス部２４に螺合する。第２ボス部２５は、第１ボス部２４と間隔をあけて配置されている。このため、第２ボス部２５は、第１ボス部２４に取り付けられた調整部材６と間隔をあけて配置されている。
【００２８】
第１ボス部２４及び第２ボス部２５は、第１リール本体部２１の収容空間と外部とを連通している。この第１ボス部２４内において、スプール軸４の一方の端部が回転可能に支持されている。また、第２ボス部２５内において、ワンウェイクラッチ２６を介して駆動軸１１ａが糸巻き取り方向に回転可能に支持されている。
【００２９】
［スプール］
スプール３は、第１リール本体部２１と第２リール本体部２２との間に配置されている。詳細には、スプール３は、略円筒状であって軸方向に延びている。スプール３は、リール本体２に対して回転可能である。スプール３は、スプール軸４を介してリール本体２に回転可能に支持されている。
【００３０】
［スプール軸］
スプール軸４は、スプール３と一体的に回転する。スプール軸４は、第１リール本体部２１と第２リール本体部２２とによって回転可能に支持されている。なお、スプール軸４は、第１及び第２軸受部材１２ａ、１２ｂを介して、第１リール本体部２１及び第２リール本体部２２に回転可能に支持されている。スプール軸４は軸方向に延びている。
【００３１】
［ハンドル］
ハンドル１５は、スプール軸４を回転させるための部材であって、第１リール本体部２１に回転可能に装着されている。ハンドル１５が回転すると、回転伝達機構１１を介してスプール軸４が回転する。
【００３２】
［回転伝達機構］
回転伝達機構１１は、ハンドル１５の回転をスプール軸４に伝達する機構である。回転伝達機構１１は、駆動軸１１ａ、駆動ギア１１ｂ、ピニオンギア１１ｃ、及びクラッチ機構１１ｄを有する。駆動軸１１ａは、ハンドル１５と一体的に回転する。駆動ギア１１ｂは、駆動軸１１ａと一体的に回転する。ピニオンギア１１ｃは、駆動ギア１１ｂと噛み合う。ピニオンギア１１ｃは筒状であって、スプール軸４がピニオンギア１１ｃ内を貫通している。
【００３３】
クラッチ機構１１ｄは、ピニオンギア１１ｃの回転をスプール軸４に伝達したり、遮断したりするように構成されている。クラッチ機構１１ｄは、スプール３を自由回転可能とするクラッチオフ状態と、スプール３を糸巻き取り可能とするクラッチオン状態とを取り得る。具体的には、クラッチ機構１１ｄは、係合ピン１１ｅと係合凹部１１ｆとによって構成される。係合ピン１１ｅは、スプール軸４を半径方向に貫通している。係合凹部１１ｆは、ピニオンギア１１ｃの一方の端部に形成された凹部である。
【００３４】
クラッチ機構１１ｄがクラッチオン状態となったとき、係合ピン１１ｅが係合凹部１１ｆに係合する。この結果、ピニオンギア１１ｃの回転がスプール軸４に伝達され、スプール３が糸巻き取り可能となる。一方、クラッチ機構１１ｄがクラッチオフ状態となったとき、ピニオンギア１１ｃが係合ピン１１ｅから離れる方向に移動することによって係合ピン１１ｅと係合凹部１１ｆとの係合が解除される。この結果、ピニオンギア１１ｃの回転がスプール軸４に伝達されず、スプール３は自由回転可能となる。
【００３５】
［制動機構］
制動機構５は、スプール軸４の回転を制動するように構成されている。スプール軸４はスプール３と一体的に回転するため、制動機構５は、スプール軸４の回転を制動することによって、スプール３の回転を制動することができる。詳細には、図３に示すように、制動機構５は、摩擦プレート５１を有している。この摩擦プレート５１は、調整部材６に取り付けられている。詳細には、摩擦プレート５１は、調整部材６の円板部６１の内側面に固定されている。この摩擦プレート５１がスプール軸４と当接することによって、スプール軸４の回転が制動される。摩擦プレート５１は、例えば、カーボンクロス製である。
【００３６】
［調整部材］
調整部材６は、第１リール本体部２１の第１ボス部２４に取り付けられている。図３及び図４に示すように、調整部材６は、一方の端面が開口する実質的に円筒状である。詳細には、調整部材６は、円板部６１と、筒状部６２と、フランジ部６３と、外壁部６４とを有している。
【００３７】
筒状部６２は、円板部６１の外周端部から軸方向に延びている。筒状部６２の基端部側の端面は、円板部６１によって封鎖されている。また、筒状部６２の先端部側の端面は開口している。この筒状部６２の外周面に、第１ネジ部６２１が形成されている。第１ネジ部６２１は、筒状部６２の基端部側（円板部６１側）に形成されている。この第１ネジ部６２１に、規制部材１０が螺合する。
【００３８】
また、筒状部６２の内周面には、第２ネジ部６２２が形成されている。この第２ネジ部６２２は、第１ボス部２４の外周面に形成されたネジ部２４１と螺合する。このため、調整部材６は、軸周りに回転すると軸方向に移動する。
【００３９】
筒状部６２の外周面には、軸方向に延びる複数の溝部６２３が形成されている。各溝部６２３は、周方向において互いに間隔をあけて配置されている。詳細には、筒状部６２は、大径部６２４と小径部６２５とを有している。大径部６２４は、筒状部６２の先端部側に配置されており、小径部６２５は、筒状部６２の基端部側に配置されている。すなわち、筒状部６２の先端部側は基端部側に比べて径が大きくなっている。そして、各溝部６２３は、大径部６２４に形成されている。また、第１ネジ部６２１は、小径部６２５の外周面に形成されている。
【００４０】
フランジ部６３は、筒状部６２から半径方向に延びている。詳細には、フランジ部６３は、筒状部６２の先端部側から半径方向の外側に延びている。フランジ部６３は、複数の取付孔６３１を有している。各取付孔６３１は、周方向において互いに間隔をあけて配置されている。なお、各取付孔６３１と各溝部６２３とは、周方向において同じ位置に形成されている。
【００４１】
外壁部６４は、フランジ部６３の外周端部から軸方向に延びている。具体的には、外壁部６４は、フランジ部６３から円板部６１側に向かって延びている。外壁部６４は、筒状であって、筒状部６２の半径方向外側に配置されている。外壁部６４の軸方向の寸法は、筒状部６２のそれよりも短い。この外壁部６４と、フランジ部６３と、筒状部６２とによって画定される空間に、第１プレート８及び第２プレート９が収容されている。
【００４２】
以上のように構成された調整部材６は、スプール軸４の回転を制動する制動力を調整することができる。すなわち、調整部材６は、制動機構５による制動力を調整することができる。具体的には、調整部材６を回転させて軸方向に移動させることによって、調整部材６と第１リール本体部２１との軸方向の相対距離が変わり、調整部材６が摩擦プレート５１を介してスプール軸４を押圧する力を調整することができる。
【００４３】
調整部材６の内周面と第１ボス部２４の外周面との間にシール部材６５が配置されている。このシール部材６５によって、リール本体２内部への異物の侵入を防止することができる。また、このシール部材６５によって、調整部材６が釣り人の意に反して回転しないように調整部材６に回転抵抗が付与される。
【００４４】
［第１プレート］
図５に示すように、第１プレート８は、中央に第２貫通孔８１を有する環状のプレートである。この第２貫通孔８１内を調整部材６が貫通している（図３参照）。詳細には、第２貫通孔８１内を調整部材６の大径部６２４が貫通している。すなわち、第１プレート８は、調整部材６の大径部６２４に取り付けられている。第１プレート８は、調整部材６に一体回転可能に取り付けられている。
【００４５】
詳細には、第１プレート８は、軸方向を向く一対の主面を有しており、一方の主面から複数の取付ピン８２が軸方向に延びている。この取付ピン８２が形成された主面は、調整部材６のフランジ部６３と対向している。各取付ピン８２は、周方向において互いに間隔をあけて配置されている。この各取付ピン８２は、調整部材６のフランジ部６３に形成された各取付孔６３１に嵌合する。これによって、第１プレート８は、調整部材６と一体的に回転する。なお、各取付ピン８２は、半径方向の内側部分が第２貫通孔８１内にはみ出ている。この各取付ピン８２の第２貫通孔８１内にはみ出た部分は、各溝部６２３内に収容されている。
【００４６】
第１プレート８は、他方の主面において、複数の係合凹部８３を有している。各係合凹部８３は、周方向において、互いに間隔をあけて配置されている。好ましくは、各係合凹部８３は、周方向に等間隔で配置されている。各係合凹部８３は、半球体状の凹部であり、主面から軸方向に向かって凹んでいる。この複数の係合凹部８３が形成された主面は、第２プレート９と対向する。
【００４７】
［第２プレート］
図６に示すように、第２プレート９は、中央に第３貫通孔９１を有する環状のプレートである。この第３貫通孔９１内に調整部材６が貫通している（図３参照）。詳細には、第３貫通孔９１内を調整部材６の大径部６２４が貫通している。すなわち、第２プレート９は、調整部材６の大径部６２４に取り付けられている。第２プレート９は、第１プレート８と対向するように配置されている。フランジ部６３側から、第１プレート８、第２プレート９の順で軸方向に配置されている。
【００４８】
第２プレート９は、操作レバー７に一体回転可能に取り付けられている。詳細には、第２プレート９は、軸方向を向く一対の主面を有している。そして、第２プレート９は、一方の主面から複数の取付ピン９２が軸方向に延びている。本実施形態では、一対の取付ピン９２が形成されている。この取付ピン９２が形成された主面は、操作レバー７と対向している。一対の取付ピン９２は、周方向において互いに間隔をあけて配置されている。この各取付ピン９２は、後述する操作レバー７の取付孔７２１に嵌合する。これによって、第２プレート９は、操作レバー７と一体的に回転する。
【００４９】
第２プレート９は、他方の主面において、複数（３つ以上）の係合凸部９３を有している。この各係合凸部９３が形成された主面は、第１プレート８と対向する。各係合凸部９３は、第１プレート８の各係合凹部８３と係合する。係合凸部９３の数は、係合凹部８３の数以下である。各係合凸部９３は、周方向において、互いに間隔をあけて配置されている。好ましくは、各係合凸部９３は、周方向に等間隔で配置されている。各係合凸部９３は、半球体状に形成されており、主面から軸方向に向かって突出している。この各係合凸部９３の形状は、各係合凹部８３に沿うような形状である。
【００５０】
［操作レバー］
図３に示すように、操作レバー７は、調整部材６に取り外し可能に取り付けられている。詳細には、図７に示すように、操作レバー７は、第１貫通孔７１を有している。この第１貫通孔７１内を調整部材６が貫通している。詳細には、第１貫通孔７１内を、調整部材６の大径部６２４が貫通している。すなわち、操作レバー７は、調整部材６の大径部６２４に取り付けられている。このように、操作レバー７、第１プレート８、及び第２プレート９が調整部材６の大径部６２４に取り付けられている。フランジ部６３側から、第１プレート８、第２プレート９、操作レバー７の順で軸方向に配置されている。
【００５１】
操作レバー７は、調整部材６から半径方向に延びている。また、操作レバー７は、周方向に揺動可能に配置されている。なお、操作レバー７は、調整部材６と一体的に回転する。
【００５２】
図７に示すように、操作レバー７は、取付部７２と操作本体部７３とを有している。取付部７２は、第１貫通孔７１が形成されており、環状に形成されている。この取付部７２の外径は、調整部材６の外壁部６４の内径よりも大きい。また、取付部７２の外径は、調整部材６の外壁部６４の外径よりも大きい。
【００５３】
この取付部７２は、調整部材６に取り付けられている。また、取付部７２に、複数の取付孔７２１が形成されている。なお、本実施形態では、一対の取付孔７２１が形成されている。取付孔７２１は、軸方向に延びている。この取付孔７２１に、第２プレート９の取付ピン９２が嵌合する。取付孔７２１は、側面の一部が第１貫通孔７１に開口している。
【００５４】
操作本体部７３は、棒状に形成されており、取付部７２から半径方向に延びている。操作本体部７３は、取付部７２と一体的に形成されている。操作本体部７３の厚さ（軸方向の寸法）は、取付部７２の厚さよりも厚い。このため、操作本体部７３と取付部７２との間で段差部７４が形成される。操作レバー７を調整部材６に取り付けた状態において、段差部７４は、外壁部６４の外周面に沿うように配置される。
【００５５】
［規制部材］
図３に示すように、規制部材１０は、調整部材６の第１ネジ部６２１に螺合する。すなわち、規制部材１０は、調整部材６の小径部６２５に取り付けられている。規制部材１０の内径は、操作レバー７の第１貫通孔７１の径よりも小さい。
【００５６】
規制部材１０は、第１プレート８と第２プレート９とが互いに離反する方向に移動することを規制する。詳細には、規制部材１０は、ナットである。規制部材１０が調整部材６に螺合することで、規制部材１０が、操作レバー７を介して、第１プレート８及び第２プレート９をフランジ部６３に向かって押圧する。この結果、規制部材１０と調整部材６のフランジ部６３との間で、第１プレート８、第２プレート９、及び操作レバー７が締結される。なお、規制部材１０と操作レバー７との間には、スペーサ１６が配置されている。すなわち、図８に示すように、第１プレート８、第２プレート９、操作レバー７，スペーサ１６、及び規制部材１０が、この順で調整部材６に取り付けられている。第１プレート８、第２プレート９、操作レバー７，スペーサ１６、規制部材１０、及び調整部材６は、調整ユニットを構成する。この調整ユニットを構成する各部材は、一体的に回転する。
【００５７】
［両軸受リールの動作］
次に、両軸受リール１００の動作について説明する。釣り糸をスプール３から繰り出すキャスティング時には、スプール軸４はスプール３とともに糸繰り出し方向に回転する。このスプール軸４は、摩擦プレート５１を介して、調整部材６によって押圧されている。すなわち、このため、スプール軸４及びスプール３の回転速度が抑えられ、バックラッシュが防止される。
【００５８】
操作レバー７を周方向に揺動させると、調整部材６が回転して軸方向に移動するため、制動機構５による制動力を調整することができる。すなわち、操作レバー７を周方向に揺動させることによって、スプール軸４に対する制動力を調整することができる。なお、操作レバー７は、例えば、第２リール本体部２２を保持した手によって、操作されてもよい。
【００５９】
操作レバー７の取付角度を変えるときは、まず、規制部材１０を回転させて緩める。この結果、規制部材１０とフランジ部６３とによる締結が解除されて、第１プレート８と第２プレート９とが互いに離れる方向に移動可能となる。このため、第１プレート８と第２プレート９との係合状態が解除され、操作レバー７を調整部材６に対して周方向に回転させることができる。すなわち、操作レバー７の取付角度を変更することができる。そして、操作レバー７を適切な取付角度にした後、第１プレート８の係合凹部８３と第２プレート９の係合凸部９３とを係合させて、規制部材１０を回転して、締め付ける。これによって、所望の取付角度で操作レバー７を調整部材６に対して取り付けることができる。
【００６０】
以上、本発明の一実施形態について説明したが、本発明は上記実施形態に限定されるものではなく、発明の要旨を逸脱しない範囲で種々の変更が可能である。
【００６１】
変形例１
上記実施形態では、制動機構５は、摩擦プレート５１によって構成されているが、制動機構５は、スプール軸４の回転を制動できる構成であれば、特にこれに限定されない。例えば、制動機構５は、調整部材６の円板部６１によって構成されていてもよい。すなわち、摩擦プレート５１を省略してもよい。この場合、円板部６１は、制動機構５も兼ねており、スプール軸４の端面と接触してスプール軸４の回転を直接制動する。
【００６２】
変形例２
上記実施形態では、第１プレート８が調整部材６に取り付けられ、第２プレート９が操作レバー７に取り付けられていたが、この構成に限定されない。例えば、第１プレート８が操作レバー７に取り付けられ、第２プレート９が調整部材６に取り付けられていてもよい。
【００６３】
変形例３
上記実施形態では、第１プレート８は、調整部材６と別部材によって構成されていたが、調整部材６と１つの部材によって構成されていてもよい。例えば、調整部材６のフランジ部６３に、上述した係合凹部８３が形成されていてもよい。
【００６４】
変形例４
上記実施形態では、第２プレート９は、操作レバー７と別部材によって構成されていたが、操作レバー７と１つの部材によって構成されていてもよい。例えば、操作レバー７の取付部７２に上述した係合凸部９３が形成されていてもよい。
【００６５】
変形例５
上記実施形態では、調整部材６は、外壁部６４を有していたが、この外壁部６４を省略することもできる。
【００６６】
変形例６
上記実施形態では、本発明が適用された両軸受リール１００について説明したが、本発明は、他の釣用リールにも適用できる。例えば、本発明は、リアドラグ型のスピニングリールにおいても適用できる。このリアドラグ型のスピニングリールは、スプール軸がリール本体部から前方に延びている。このスプール軸の前端部に、スプールが相対回転不能に支持されている。スプールはリール本体の前方に配置されている。スプール軸の後端部には、摩擦円板が相対回転不能に係合している。そして、制動機構は、摩擦円板を押圧することによってスプールの回転を制動する。この構成において、上記実施形態と同様に、調整部材、第１プレート、第２プレート、及び操作レバーを設けて、制動力を調整することができる。
【符号の説明】
【００６７】
２    リール本体
３    スプール
４    スプール軸
５    制動機構
６    調整部材
７    操作レバー
８    第１プレート
８３    係合凹部
９    第２プレート
９３    係合凸部
【図１】
2018201413.tif 000003
【図２】
2018201413.tif 000004
【図３】
2018201413.tif 000005
【図４】
2018201413.tif 000006
【図５】
2018201413.tif 000007
【図６】
2018201413.tif 000008
【図７】
2018201413.tif 000009
【図８】
2018201413.tif 000010